(57)【要約】【課題】蓋体が外れにくい電池保持装置を提供する。【解決手段】本実施例に係る無線ＩＣタグは、ボタン電池９０を挿入及び排出するための開口部２４ａを有してボタン電池９０を収納する電池収納部と、開口部２４ａを開閉するように電池収納部に対して着脱可能な蓋体６０と、電池収納部から蓋体６０が取り外される方向を、電池収納部からのボタン電池９０の排出方向と相違する方向に制限する突起部６４ａ及び孔部３４ａとを備えている。【選択図】図５
2008097958.tif 000002
【特許請求の範囲】
【請求項１】
電池を挿入及び排出するための開口部を有して前記電池を収納する電池収納部と、
前記開口部を開閉するように前記電池収納部に対して着脱可能な蓋体と、
前記電池収納部から前記蓋体が取り外される方向を、前記電池収納部からの前記電池の排出方向と相違する方向に制限する取り外し制限手段とを備えたことを特徴とする電池保持装置。
【請求項２】
前記取り外し制限手段は、前記蓋体及び前記電池収納部に設けられ、前記電池収納部に前記蓋体が装着される際には互いに嵌合状態となり、前記電池収納部から前記蓋体が取り外される際には嵌合状態が解除された状態となると共に、前記電池収納部から前記蓋体が取り外される方向を前記嵌合状態が解除される方向に制限する蓋体側嵌合部及び電池収納部側嵌合部を含む、ことを特徴とする請求項１に記載の電池保持装置。
【請求項３】
前記蓋体側嵌合部及び電池収納部側嵌合部は、互いに貫通し得る突起状及び孔状に形成され、
前記蓋体側嵌合部は、前記電池収納部に前記蓋体が装着される際に、前記電池収納部側嵌合部に貫通挿入されつつ、前記開口部から挿入された前記電池を前記電池収納部内の所定位置まで押し込むとともに、前記電池を所定位置に保持する押込部を有する、ことを特徴とする請求項２に記載の電池保持装置。
【請求項４】
前記所定位置は、前記電池収納部内に配置された接点部材に前記電池の端子部が接触する位置である、ことを特徴とする請求項３に記載の電池保持装置。
【請求項５】
前記接点部材は、前記電池収納部からの前記電池の排出方向と相違する方向に弾性付勢するように前記電池収納部内に配置されている、ことを特徴とする請求項４に記載の電池保持装置。
【発明の詳細な説明】
【技術分野】
【０００１】
本発明は、電池保持装置に関する。
【背景技術】
【０００２】
従来のボタン電池の保持装置としては、ボタン電池を収納する凹状の電池収納部内に弾性を有する極板が設けられており、この極板の弾性力に抗するようにボタン電池を押し込みながら蓋体を電池収納部の開口部に取り付けて、蓋体を所定の位置まで回転させることにより蓋体を開口部にロックさせて電池を収納していた。
特許文献１には、このようなボタン電池の保持装置について開示されており、収納穴にボタン電池を収納させた上で、蓋体を収納穴に押し込んで、所定の位置まで蓋体を回転させることによって、蓋体が収納穴とが係合して蓋体が固定される。
【０００３】
【特許文献１】特開平１０−３０２７４３号公報
【発明の開示】
【発明が解決しようとする課題】
【０００４】
しかしながら、上記のボタン電池の保持装置では、蓋体が収納穴から外れる方向と、ボタン電池が収納穴から着脱される方向が同一である。このため、このような保持装置を備えた機器に落下などによる衝撃が加わった場合には、収納されたボタン電池が蓋体を押して、蓋体が外れる恐れがあった。
【０００５】
そこで、本発明は、蓋体が外れにくい電池保持装置を提供することを目的とする。
【課題を解決するための手段】
【０００６】
上記目的は、電池を挿入及び排出するための開口部を有して前記電池を収納する電池収納部と、前記開口部を開閉するように前記電池収納部に対して着脱可能な蓋体と、前記電池収納部から前記蓋体が取り外される方向を、前記電池収納部からの前記ボタン電池の排出方向と相違する方向に制限する取り外し制限手段とを備えたことを特徴とする電池保持装置によって達成できる。
この構成により、電池保持装置に何らかの衝撃が加わり、蓋体が取り付けられた状態で電池収納部に収納された電池が、電池収納部内で蓋体を裏側から押した場合であっても、電池収納部から蓋体が取り外される方向は、電池収納部から電池が排出される方向と相違するので、蓋体が外れることを防止できる。
【０００７】
また、上記構成において、前記取り外し制限手段は、前記蓋体及び前記電池収納部に設けられ、前記電池収納部に前記蓋体が装着される際には互いに嵌合状態となり、前記電池収納部から前記蓋体が取り外される際には嵌合状態が解除された状態となると共に、前記電池収納部から前記蓋体が取り外される方向を前記嵌合状態が解除される方向に制限する蓋体側嵌合部及び電池収納部側嵌合部を含む、構成を採用できる。
この構成により、蓋体側嵌合部及び電池収納部側嵌合部により、その嵌合状態が解除される方向に蓋体が取り外される方向を制限するので、簡単な構成で蓋体が取り外される方向を制限することができる。
【０００８】
また、上記構成において、前記蓋体側嵌合部及び電池収納部側嵌合部は、互いに貫通し得る突起状及び孔状に形成され、前記蓋体側嵌合部は、前記電池収納部に前記蓋体が装着される際に、前記電池収納部側嵌合部に貫通挿入されつつ、前記開口部から挿入された前記電池を前記電池収納部内の所定位置まで押し込む押込部を有する、構成を採用できる。
この構成により、蓋体の取り外し方向を規制する蓋体側嵌合部が、電池を電池収納部内の所定位置まで押し込むことができるので、電池収納部内における電池の位置精度を向上させることができる。
【０００９】
また、上記構成において、前記所定位置は、前記電池収納部内に配置された接点部材に前記電池の端子部が接触する位置である、構成を採用できる。
この構成により、電池を前記電池の端子部が接触する位置まで容易に押し込むことができるので、電池からの電力供給を確保することができる。
【００１０】
また、上記構成において、前記接点部材は、前記電池収納部からの前記電池の排出方向と相違する方向に弾性付勢するように前記電池収納部内に配置されている、構成を採用できる。
この構成により、電池保持装置に衝撃が加わった場合であっても、接点部材が前記ボタン電池の排出方向への移動を助長することはない。
また、蓋体を取り外した際に、電池が開口部から飛び出すということもない。
【発明の効果】
【００１１】
本発明によれば、蓋体が外れにくい電池保持装置を提供できる。
【発明を実施するための最良の形態】
【００１２】
以下、無線ＩＣタグに対して本発明を実施した例を挙げて、本発明を詳細に説明する。
図１は、無線ＩＣタグの斜視図であり、本体１０と蓋体６０とを示している。図２は、本体１０の構成を示した図であり、図２（ａ）は、本体１０の左側面図、図２（ｂ）は、正面図である。図３は、図２（ｂ）のＡ−Ａ断面図である。図４は、蓋体６０の構成を示した図である。図４は、蓋体６０の構成を示した図であり、図４（ａ）は、左側面図、図４（ｂ）は正面図、図４（ｃ）は右側面図、図４（ｄ）は下面図である。尚、図２及び図３は、ボタン電池９０を内蔵した状態での本体１０を示している。
【００１３】
本実施例に係る無線ＩＣタグは、例えば無線ＩＣタグから発信される電波を受信するリーダを複数屋内に設置し、その電波を受信したリーダの位置によって、無線ＩＣタグの位置を検出することに用いられる。具体的には、部屋の出入り口などにリーダを設置し、無線ＩＣタグを所持するユーザの出入りを検出する。
【００１４】
図１乃至図４に示すように本実施例に係る無線ＩＣタグは、本体１０、蓋体６０などから構成される。
本体１０は、上ケース２０、下ケース３０、制御基板４０、押ボタン５０などから構成される。
上ケース２０及び下ケース３０は、樹脂材料により形成され、本体１０の筐体を構成する。
制御基板４０は、上ケース２０及び下ケース３０によって構成される筐体内に配置され、無線ＩＣタグの機能を実現するための基板である。制御基板４０は、下ケース３０に形成されたリブ３２及び上ケース２０に形成された側壁部２２などにより保持される。また、制御基板４０には、ＩＣ、送信回路、アンテナ（ともに不図示）等が搭載される。本実施例に係る無線ＩＣタグは、ボタン電池９０を内蔵し所定の周期で電波を発信する。
【００１５】
また、図３に示すように上ケース２０には、ボタン電池９０を収納するための空間を画定する上壁部２１、側壁部２２、底壁部２３が形成されている。側壁部２２は制御基板４０に向けて突出するように形成され、挿入されたボタン電池９０の挿入方向への位置を規制する。ボタン電池９０は、上壁部２１と制御基板４０との間に収納される。底壁部２３には、ボタン電池９０を挿入及び排出するための開口部２４ａがスリット状に形成されている。
【００１６】
また、上壁部２１側には、ボタン電池９０の陽極端子と接触する接点部材４１が配置されている。接点部材４１は、板ばね状に形成され、ボタン電池９０を制御基板４０側に向けて弾性付勢する。また、ボタン電池９０の陰極端子と接触する制御基板４０の面には接点（不図示）が設けられており、この接点と接点部材４１とによってボタン電池９０の端子がそれぞれ接触することにより、制御基板４０への電源供給が確保される。
【００１７】
接点部材４１がボタン電池９０を付勢する方向は、ボタン電池９０を底壁部２３から排出する方向に対して略垂直方向であるため、例えば、本体１０に装着された蓋体６０を取り外した直後、接点部材４１の付勢力によって底壁部２３から勢いよくボタン電池９０が飛び出してしまう恐れはない。
【００１８】
また、接点部材４１が制御基板４０側ではなく、上壁部２１側に配置されている。この理由は、制御基板４０側に接点部材４１が配置されていると、上壁部２１側にもボタン電池９０の端子と接する接点部材を配置する必要があり、ボタン電池９０を通電状態とするために必要となる厚みが増す。しかし本実施例のように、上壁部２１側に所定の厚みを有する接点部材４１を配置し、他方の接点を制御基板４０に設けることにより、ボタン電池９０を通電状態とするために必要となる厚みを減少させることができる。
【００１９】
図２（ｂ）に示すように、開口部２４ａの両側には、係止凹部２５ａが形成されており、蓋体６０が組み付けられる際に、図４に示す蓋体６０の係止凸部６５ａと係合する。
【００２０】
図３に示す下ケース３０には、背面部３１が段部を介して形成されており、この段部に蓋体６０の底面部６１が嵌め合う形で係止される。また、背面部３１、上壁部２１、側壁部２２及び底壁部２３は、ボタン電池９０を収納するための電池収納部を画定する。背面部３１には、図４に示すように蓋体６０の突起部６４ａと嵌合し得る孔部３４ａが２箇所に形成されている。
【００２１】
また、図２（ａ）に示すように係止孔部３７ａに隣接して、スイッチ４２を操作するための開口部３８ａが形成されている。スイッチ４２は、無線ＩＣタグの電源をオンオフするためのものである。また、開口部３８ａに隣接してスイッチ４２の位置に応じてオンオフ状態を示す電源表示部３３が背面部３１から凹凸状になって形成されている。なお、スイッチ４２は、ユーザが図４に示す蓋体６０の爪部６６ａを開口部３８ａへ差し込んで、爪部６６ａの凹部６９とスイッチ４２とを係合させることにより操作することができる。
【００２２】
図２に示す下ケース３０の中央部には、挿入されたボタン電池９０を取り出すための開口部３９ａが形成されている。ボタン電池９０を取り出すには、開口部３９ａからボタン電池９０を底壁部２３に向けてスライドするように押すことによってボタン電池９０を取り出すことができる。
【００２３】
また、背面部３１が形成されている段部の近傍に、係止孔部３６ａ及び係止孔部３７ａが形成されており、蓋体６０を本体１０に組付ける際に、爪部６６ａ及び爪部６７ａが差し込まれて、蓋体６０が係止される。
【００２４】
次に、図４を用いて蓋体６０について説明する。
蓋体６０は、底面部６１と遮蔽部６２とから断面Ｌ字状に形成される。
底面部６１には、その側端部に所定の間隔を空けて爪部６６ａ及び爪部６７ａが底面部６１と平行に突出して形成され、蓋体６０が電池収納部に装着される際に、係止孔部３６ａ及び係止孔部３７ａに差し込まれて蓋体６０が下ケース３０の所定の位置に係止される。
【００２５】
また、底面部６１には、遮蔽部６２が形成される近傍に、突起部６４ａが２箇所に形成されている。爪部６６ａ及び爪部６７ａが係止孔部３６ａ及び係止孔部３７ａに係止された状態で、突起部６４ａを孔部３４ａに貫通挿入することにより、蓋体６０の背面部３１に対する組付け方向が制限される。尚、制御基板４０には、孔部３４ａに貫通する突起部６４ａを逃がすための切欠部４４ａが形成されている。
【００２６】
また、突起部６４ａには、突起部６４ａが孔部３４ａを貫通する際にボタン電池９０の端部に当接してボタン電池９０を所定の位置まで押し込む押込面６４ｂが形成されている。尚、押込面６４ｂは、ボタン電池９０と当接する位置でのボタン電池９０の外形に対応するように、ボタン電池９０が押し込まれる方向に対して傾斜している。
【００２７】
底面部６１には、電源表示部３３の凹凸に対応する位置に窪み部６３が形成され、蓋体６０が電池収納部に装着される際に電源表示部３３の凹凸を逃がす。
また、遮蔽部６２は、底面部６１から略垂直方向に向けて突出して形成され、遮蔽部６２の内側には、係止凹部２５ａと係合し得る係止凸部６５ａが形成されている。また、遮蔽部６２の内側が、蓋体６０を背面部３１に組付けた際に開口部２４ａを閉じる。
【００２８】
爪部６６ａ及び爪部６７ａが係止孔部３６ａ及び係止孔部３７ａに係止された状態で、突起部６４ａが孔部３４ａを貫通することにより、背面部３１に対する蓋体６０の組付け方向が制限され、底面部６１を背面部３１と対向するまで突起部６４ａを孔部３４ａに押し込むことにより、係止凸部６５ａが係止凹部２５ａと係合して、遮蔽部６２によって開口部２４ａが閉じられる。
【００２９】
次に、蓋体６０の組付け及び取り外しについて詳細に説明する。
図５は、蓋体６０の組付け及び取り外しについて説明図であり、図３の図面に、図４（ｂ）のＢ−Ｂ断面図を組み合わせて示している。
まず、図５（ａ）に示すようにボタン電池９０を開口部２４ａから挿入方向Ｘに向けて押込む。ボタン電池９０を押し込んだ後は、蓋体６０の爪部６６ａ及び爪部６７ａを、係止孔部３６ａ及び係止孔部３７ａに差し込むと蓋体６０の下ケース３０に対する位置が確定される。ついで、蓋体６０を組付け方向Ｚに向けて押し込む。組付け方向Ｚは、図５において、爪部６６ａ及び爪部６７ａ付近を支点として蓋体６０を時計方向に回転させる方向である。また、組付け方向Ｚは、突起部６４ａが孔部３４ａに貫通する方向でもある。
【００３０】
通常、ユーザが指でボタン電池９０を押し込むと、開口部２４ａのよりも僅かに奥の位置までしかボタン電池９０を押し込むことができず、図５（ｂ）に示すように、ボタン電池９０は、所定の位置まで押し込むことができない場合がある。しかし、この状態から、突起部６４ａが孔部３４ａに貫通されると、突起部６４ａの押込面６４ｂがボタン電池９０の後端部に当接して、ボタン電池９０を所定の位置まで押し込む。
【００３１】
より詳細には、図５において爪部６６ａ及び爪部６７ａを係止孔部３６ａ及び係止孔部３７ａに差し込んだ状態で、蓋体６０を組付け方向Ｚに向けて押し込むと爪部６６ａ及び爪部６７ａ付近を支点として蓋体６０は時計まわりに回転しながら押し込まれていく。このとき突起部６４ａの押込面６４ｂは蓋体６０が押込まれるにつれてボタン電池９０の後端部に接近していき、やがて押込面６４ｂはボタン電池９０の後端と当接する。
【００３２】
さらに、蓋体６０を組付け方向Ｚに向けて押込んでいくと蓋体６０の回転に伴って、押込面６４ｂとボタン電池９０は当接位置が変化しながらも両者の当接状態を維持しつつ挿入方向Ｘ方向に移動していく。すなわち蓋体６０の回転に伴ってボタン電池９０は挿入方向Ｘ方向に押込まれていき、やがて所定の位置に位置決めされる。
【００３３】
図５（ｃ）は、突起部６４ａが孔部３４ａを貫通し、係止凸部６５ａと係止凹部２５ａとが係合して本体１０に蓋体６０が組み付けられた状態を示している。このように、遮蔽部６２が開口部２４ａを閉じる際には、突起部６４ａ及び孔部３４ａは嵌合状態となる。また、ボタン電池９０は、側壁部２２と押込面６４ｂとに挟まれるようにして所定の位置に位置付けられる。このように、蓋体６０が装着される際に押込面６４ｂがボタン電池９０を所定の位置まで押し込むため、電池収納部内におけるボタン電池９０の位置精度を向上させることができる。
【００３４】
また、上記の所定の位置とは、電池収納部内に配置された接点部材４１、制御基板４０に形成された接点に、ボタン電池９０の端子が確実に接触する位置である。これにより、無線ＩＣタグへの安定した電源供給を確保することができる。尚、孔部３４ａは、突起部６４ａが背面部３１に対して斜めの状態で貫通されるため、孔部３４ａの径は、突起部６４ａの大きさよりも若干大きめに形成されている。
【００３５】
次に、図５（ｃ）の状態から蓋体６０を取り外すためには、蓋体６０を取り外し方向Ｚ´に押し下げることにより、図５（ｄ）に示すように蓋体６０を取り外すことができる。詳細には、ユーザは、遮蔽部６２を指で押し下げて係止凸部６５ａと係止凹部２５ａとの係合状態を解除し、突起部６４ａが孔部３４ａから抜けることにより、蓋体６０を本体１０から取り外すことができる。この取り外し方向Ｚ´は、突起部６４ａ及び孔部３４ａの嵌合状態が解除される方向である。
【００３６】
蓋体６０が本体１０から取り外された後は、ユーザは、例えば本体１０を起立させた状態で上下に揺らすことにより、ボタン電池９０は自重によって排出方向Ｘ´に向けて移動して開口部２４ａから排出される。このようにボタン電池９０を取り出すことができる。
【００３７】
ここで、排出方向Ｘ´と取り外し方向Ｚ´とは、相違する方向であり、排出方向Ｘ´に対して取り出し方向Ｚ´は、図５において下方向に向いている。
従って、例えば、図５（ｃ）の状態で、無線ＩＣタグに衝撃が加わり、ボタン電池９０が排出方向Ｘ´に移動し、突起部６４ａを排出方向Ｘ´に向けて押した場合であっても、排出方向Ｘ´と取り外し方向Ｚ´とは相違する方向であるので、電池収納部から蓋体６０が外れるのを防止できる。即ち、突起部６４ａ及び孔部３４ａは、電池収納部からのボタン電池９０の排出方向と相違する方向に制限する取り外し制限手段としての機能を有する。
【００３８】
また、突起部６４ａ及び孔部３４ａにより、その嵌合状態が解除される方向に取り外し方向Ｚ´は制限されるので、簡単な構成で蓋体６０が取り外される方向を制限することができる。
また、接点部材４１は、排出方向Ｘ´と相違する方向にボタン電池９０を弾性付勢するので、無線ＩＣタグに衝撃が加わった場合であっても、接点部材４１がボタン電池９０の排出方向Ｘ´への移動を助長することはない。
【００３９】
以上本発明の好ましい実施形態について詳述したが、本発明は係る特定の実施形態に限定されるものではなく、特許請求の範囲に記載された本発明の要旨の範囲内において、変形・変更が可能である。
【００４０】
上記実施例において、蓋体側嵌合部として突起部６４ａ、電池収納部側嵌合部として孔部３４ａとしたが、このような構成に限らず、蓋体側嵌合部を孔状とし、電池収納部側嵌合部を突起状にしてもよい。
【００４１】
上記実施例において、ボタン電池を保持する電池保持装置として説明したが、ボタン電池に限らず、円筒型の電池を保持するものであってもよい。
【図面の簡単な説明】
【００４２】
【図１】無線ＩＣタグの斜視図である。
【図２】本体の構成を示した図である。
【図３】図２（ｂ）のＡ−Ａ断面図である。
【図４】蓋体の構成を示した図である。
【図５】蓋体の組付け及び取り外しについて説明図である。
【符号の説明】
【００４３】
１０                              本体
２０                              上ケース
２１                              上壁部
２２                              側壁部
２３                              底面壁部
２４ａ                            開口部
２５ａ                            係止凹部
３０                              下ケース
３１                              背面部
３２                              リブ
３３                              電源表示部
３４ａ                            孔部
３６ａ、３７ａ                    係止孔部
３８ａ、３９ａ                    開口部
４０                              制御基板
４１                              接点部材
４２                              スイッチ
５０                              アンテナ部
６０                              蓋体
６１                              底面部
６２                              遮蔽部
６３                              窪み部
６４ａ                            突起部
６４ｂ                            押込面
６５ａ                            係止凸部
６６ａ、６７ａ                    爪部
６９                              凹部
９０                              ボタン電池
【図１】
2008097958.tif 000003
【図２】
2008097958.tif 000004
【図３】
2008097958.tif 000005
【図４】
2008097958.tif 000006
【図５】
2008097958.tif 000007